(57)【要約】【課題】エレベーターの構造体を音響体として利用することで、コストが低減され、また構造体が吊天井の場合には、エレベーターの利用状況(立ち位置、会話、混雑具合等)や乗客の身体(性別、年齢、身長、健康状態など)によらず、安定したアナンス効果が得られるエレベーター用音響装置を得る。【解決手段】この発明に係るエレベーター用音響装置２０は、乗客に面して設けられたエレベーターの吊天井３と、この吊天井３の乗客に面した面と反対側の面側に設けれ、吊天井３を振動させる圧電セラミックスで構成された振動子２１と、を備え、吊天井３は、振動により音源となる音響体である。【選択図】図２
2014019530.tif 000002
【特許請求の範囲】
【請求項１】
エレベーターの構造体と、
この構造体に設けられた、構造体を振動させる振動子と、を備え、
前記構造体は、振動により音源となる音響体であることを特徴とするエレベーター用音響装置。
【請求項２】
前記構造体は、乗客に面しており、
前記振動子は、前記構造体の前記乗客に面した面と反対側の面側に設けられていることを特徴とする請求項１に記載のエレベーター用音響装置。
【請求項３】
前記構造体は、吊天井であることを特徴とする請求項２に記載のエレベーター用音響装置。
【請求項４】
前記構造体は、周囲を囲った、かご室の壁に取り付けられたパネルであることを特徴とする請求項２に記載のエレベーター用音響装置。
【請求項５】
前記構造体は、周囲を囲った、かご室の壁に取り付けられた手摺であることを特徴とする請求項２に記載のエレベーター用音響装置。
【請求項６】
前記構造体は、乗場側扉またはかご側扉であることを特徴とする請求項２に記載のエレベーター用音響装置。
【請求項７】
前記振動子は、前記構造体に面接合された補助板に固定手段により取り付けられていることを特徴とする請求項２〜６の何れか１項に記載のエレベーター用音響装置。
【請求項８】
前記振動子は、閉じる前記乗場側扉、前記かご側扉に前記乗客が接近したときに、乗場側扉、かご側扉が反転して開くように作動させる扉の安全装置の作動と連動し、振動することを特徴とする請求項６または７に記載のエレベーター用音響装置。
【請求項９】
前記振動子は、圧電セラミックスで構成されていることを特徴とする請求項１〜８の何れか１項に記載のエレベーター用音響装置。
【請求項１０】
前記振動子は、超磁歪材料で構成されていることを特徴とする請求項１〜８の何れか１項に記載のエレベーター用音響装置。
【発明の詳細な説明】
【技術分野】
【０００１】
この発明は、エレベーターの構造体を音響体とするエレベーター用音響装置に関する。
【背景技術】
【０００２】
従来のエレベーター用音響装置として、かご操作盤組込みスピーカ、壁組込みスピーカ、天蓋上や天井内部に設けたスピーカ等が知られている（例えば、特許文献１参照）。
【先行技術文献】
【特許文献】
【０００３】
【特許文献１】特開２００４-１１５２３９号公報
【発明の概要】
【発明が解決しようとする課題】
【０００４】
しかしながら、従来のエレベーター用音響装置は、エレベーターに個別に取付けられたスピーカであり、コストが嵩むという問題点があった。
【０００５】
この発明は、かかる問題点を解決することを課題とするものであって、エレベーターの構造体を音響体として利用することで、コストが低減されたエレベーター用音響装置を得ることを目的とする。
【課題を解決するための手段】
【０００６】
この発明に係るエレベーター用音響装置は、エレベーターの構造体と、
この構造体に設けられた、構造体を振動させる振動子と、を備え、
前記構造体は、振動により音源となる音響体である。
【発明の効果】
【０００７】
この発明のエレベーター用音響装置は、エレベーターの構造体を振動により音源となる音響体として利用することで、コストを低減することができる。
【図面の簡単な説明】
【０００８】
【図１】エレベーターにおいて、この発明の各実施の形態のエレベーター用音響装置２０，４０，５０，６０の部位を示す概略構成図である。
【図２】図２（ａ）は、この発明の実施の形態１のエレベーター用音響装置を示す断面図、図２（ｂ）は、この発明の実施の形態１のエレベーター用音響装置の変形例を示す断面図である。
【図３】図３（ａ）は、この発明の実施の形態１のエレベーター用音響装置の変形例を示す断面図、図３（ｂ）は、図３（ａ）のエレベーター用音響装置の変形例を示す断面図である。
【図４】この発明の実施の形態３のエレベーター用音響装置を示す断面図である。
【図５】この発明の実施の形態３のエレベーター用音響装置の変形例を示す断面図である。
【図６】図６（ａ）は、この発明の実施の形態４のエレベーター用音響装置を示す平面図、図６（ｂ）は、図６（ａ）のエレベーター用音響装置を示す断面図である。
【図７】この発明の実施の形態４のエレベーター用音響装置の変形例を示す断面図である。
【発明を実施するための形態】
【０００９】
以下、この発明の各実施の形態のエレベーター用音響装置について図に基づいて説明するが、各図において、同一、または相当部材、部位については同一符号を付して説明する。
【００１０】
実施の形態１.
図１は、エレベーターにおいて、この発明の各実施の形態のエレベーター用音響装置２０，４０，５０，６０の部位を示す概略構成図であり、図２（ａ）は、図１に示された実施の形態１のエレベーター用音響装置２０を示す断面図である。
図１に示されたエレベーターは、床１上を四方で囲った壁６と、壁６の上部を覆った天蓋２と、天蓋２に吊り下げられた吊天井３と、開閉可能なかご側扉８と、このかご側扉８に対向して設けられかご側扉８と連動して開閉可能な乗場側扉９と、壁６に取り取付けられた、鏡や広告用パネルであるパネル４と、を備えている。
ここで、床１、壁６、天蓋２及びかご側扉８により、かご室を構成している。
【００１１】
図２（ａ）に示されたエレベーター用音響装置２０は、吊天井３で構成された音響体２６と、この音響体２６に下端部のねじ部が螺着したスタッド２４と、このスタッド２４にナット２３、ワッシャ２２により挟まれて固定された円形の振動子２１と、この振動子２１に接続された配線２５と、を備えている。
ここで、スタッド２４、ナット２３及びワッシャ２２により、振動子２１を吊天井３に固定する固定手段を構成している。
このエレベーター用音響装置２０は、圧電セラミックスで構成された振動子２１が、配線２５を通じて音響信号として電圧を入力することで振動する。
この振動は、スタッド２４、ワッシャ２２及びナット２３を通じて音響体２６に伝達され、音響体２６、即ち吊天井３が振動して音源となり、かご室内の乗客は、情報を知ることができる。
【００１２】
この実施の形態のエレベーター用音響装置２０は、エレベーターの構造体である吊天井３を音源となる音響体２６として利用しており、コストが低減される。
また、音源は、乗客の頭上である吊天井３であり、かつ音源の面積が大きいので、エレベーターの利用状況(立ち位置、会話、混雑具合等)や乗客の身体(性別、年齢、身長、健康状態など)によらず、安定したアナンス効果が得られる。
【００１３】
なお、この実施の形態では、意匠面となる吊天井３にスタッド２４のねじ部が螺着されており、吊天井３にスタッド痕が残り、吊天井３の意匠性が悪くなる可能性がある。
図２（ｂ）は、このような不都合を解消すべくなされたもので、このエレベーター用音響装置２７では、吊天井３に両面テープ２９を介して補助板２９が接着されている。この補助板２９にスタッド２４のねじ部が螺着されている。
他の構成は、図２（ａ）のエレベーター用音響装置２０と同じである。
この例では、補助板２９にスタッド２４のねじ部が螺着されているので、吊天井３にスタッド痕が形成されることはなく、吊天井３の意匠性が向上する。
また、吊天井３に両面テープ２９を用いて振動子２１を取付けることができ、既存のエレベーターにそのままエレベーター用音響装置２７を設置することができる。
【００１４】
また、上記実施の形態では、円形の振動子２１は、圧電セラミックスで構成されていたが、図３（ａ）に示すように、超磁歪材料で構成された振動子３１を有するエレベーター用音響装置３０であってもよい。
このエレベーター用音響装置３０は、吊天井３で構成された音響体２６と、この音響体２６に下端部のねじ部が螺着したスタッド２４と、このスタッド２４にナット２３、ワッシャ２２により固定された有底円筒形状の取付金３２と、この取付金３２の内部に収納された振動子３１と、この振動子３１と吊天井３とを接続した振動伝達部３１ａと、振動子３１に接続された配線２５と、を備えている。
このエレベーター用音響装置３０は、振動子３１が、配線２５を通じて音響信号として電圧を入力することで振動する。
この振動は、振動伝達部３１ａを通じて音響体２６に伝達され、音響体２６、即ち吊天井３が振動して音源となり、かご室内の乗客は、情報を知ることができる。
【００１５】
このエレベーター用音響装置３０では、振動子３１が超磁歪材料で構成されているので、高速の応答性をもち、圧電セラミックスで構成された振動子２１と比較してより大きなパワー(モーメント)が得られることから、質量の大きなものを振動させるのに適している。
【００１６】
なお、このエレベーター用音響装置３０は、図２（ａ）のエレベーター用音響装置２０と同様に吊天井３にスタッド痕が形成され、吊天井３の意匠性が悪くなる可能性がある。
【００１７】
図３（ｂ）は、このような不都合を解消すべくなされたもので、このエレベーター用音響装置３３では、吊天井３に両面テープ２９を介して補助板２９が接着されている。この補助板２９にスタッド２４のねじ部が螺着されている。
他の構成は、図３（ａ）のエレベーター用音響装置３０と同じである。
この例では、補助板２９にスタッド２４のねじ部が螺着されているので、吊天井３にスタッド痕が形成されることはなく、吊天井３の意匠性が向上する。
また、吊天井３に両面テープ２９を用いて振動子３１を取付けることができ、既存のエレベーターにそのままエレベーター用音響装置３３を設置することができる。
【００１８】
実施の形態２．
この実施の形態のエレベーター用音響装置６０は、図１に示されており、このエレベーター用音響装置６０は、エレベーターの構造体であるかご側扉８及び乗場側扉９が音響体である点が図２（ａ）のエレベーター用音響装置２０と異なる。
この実施の形態では、振動子２１の振動が音響体４２に伝達され、音響体４２、即ちかご側扉８及び乗場側扉９が振動して音源となり、かご室内の乗客は、情報を知ることができる。
また、視覚や聴覚障害者は、かご側扉８及び乗場側扉９に触れることで、触覚を通じて情報を知ることができる。
【００１９】
また、このエレベーター用音響装置６０では、閉じる乗場側扉９、かご側扉８に乗客が接近したときに、乗場側扉９、かご側扉８が反転して開くように作動させる扉の安全装置の作動に振動子２１が連動しており、例えばブザー音や注意を促す音声ガイドを乗客に知らせることができる。
【００２０】
実施の形態３．
図４はこの発明の実施の形態３のエレベーター用音響装置４０を示す断面図である。
このエレベーター用音響装置４０は、エレベーターの構造体である、壁６に取付けられた音響体４２と、この音響体４２に下端部のねじ部が壁６の穴６ａを貫通して螺着したスタッド２４と、このスタッド２４にナット２３、ワッシャ２２により挟まれて固定された円形の振動子２１と、この振動子２１に接続された配線２５と、を備えている。
【００２１】
このエレベーター用音響装置４０は、振動子２１が、配線２５を通じて音響信号として電圧を入力することで振動する。
この振動は、ワッシャ２２、ナット２３及びスタッド２４を通じて音響体４２に伝達され、音響体４２、即ちパネル４が振動して音源となり、かご室内の乗客は、情報を知ることができる。
また、この実施の形態では、視覚や聴覚障害者は、パネル４に触れることで、触覚を通じて情報を知ることができる。
【００２２】
なお、この実施の形態でも、意匠面となるパネル４にスタッド２４のねじ部が螺着されており、パネル４にスタッド痕が形成され、パネル４の意匠性が悪くなる可能性がある。
これに対しては、図２（ｂ）に示したものと同様に、パネル４に両面テープ２９を介して補助板２９を接着し、この補助板２９にスタッド２４のねじ部を螺着し、補助板２９を介してパネル４に振動子２１を取付けるようにしてもよい。
【００２３】
また、圧電セラミックスで構成された円形の振動子２１の代わりに、図５に示すように、超磁歪材料で構成された振動子３１を有するエレベーター用音響装置４３であってもよい。
このエレベーター用音響装置４３は、エレベーターの構造体であるパネル４と、壁６に、スタッド２４、ナット２３及びワッシャ２２による固定手段により固定された有底円筒形状の取付金３２と、この取付金３２の内部に収納された振動子３１と、この振動子３１とパネル４とを壁６の穴６ａを貫通して接続した振動伝達部３１ａと、振動子３１に接続された配線２５と、を備えている。
このエレベーター用音響装置４３は、振動子３１が、配線２５を通じて音響信号として電圧を入力することで振動する。
この振動は、振動伝達部３１ａを通じて音響体４２に伝達され、音響体４２、即ちパネル４が振動して音源となり、かご室内の乗客は、情報を知ることができる。
【００２４】
実施の形態４．
図６（ａ）は、実施の形態４のエレベーター用音響装置５０を示す平面図、図６（ｂ）は、図６（ａ）のエレベーター用音響装置５０を示す断面図である。
このエレベーター用音響装置５０は、壁６に手摺ブラケット５２を介して取付けられた手摺５で構成された音響体５１と、中空の手摺５の中心部に配置され、上下のボルト５３、ナット２３及びワッシャ２２で挟んで固定された振動子２１と、ボルト５３の先端部と音響体５１の内壁面との間に介在した緩衝材５４と、振動子２１に接続され手摺５及び手摺ブラケット５２を通過した配線２５と、を備えている。
【００２５】
このエレベーター用音響装置５０は、振動子２１が、配線２５を通じて音響信号として電圧を入力することで振動する。
この振動は、ボルト５３を通じて音響体５１に伝達され、音響体５１、即ち手摺５が振動して音源となり、かご室内の乗客は情報を知ることができる。
また、この実施の形態のエレベーター用音響装置５０では、手摺５が音源として機能するとともに、軽度聴覚障害者が手摺５に触れることにより、その振動が聴覚に伝わり音として聴き取ることができる。
【００２６】
また、圧電セラミックスで構成された円形の振動子２１の代わりに、図７に示すように、超磁歪材料で構成された振動子３１を有するエレベーター用音響装置５５であってもよい。
このエレベーター用音響装置５５は、振動子３１が、配線２５を通じて音響信号として電圧を入力することで振動する。
この振動は、振動伝達部３１ａを通じて音響体５１に伝達され、音響体５１、即ち手摺５が振動して、かご室内の乗客は情報を知ることができる。
【００２７】
なお、上記各実施の形態に示した構造体である、吊天井３、パネル４、手摺５、かご側扉８、乗場側扉９は、何れも乗客に面した構造体であるが、エレベーターの構造体は、必ずしも乗客に面してなくともよい。
このエレベーター用音響装置の場合、構造体に触れることで、触覚を通じて情報を知ることができないものの、乗客は、聴覚により情報を知ることができる。
また、エレベーターの構造体の材質については限定されない。
また、振動子２１，３１についても、圧電セラミックス、超磁歪材料のもの以外のものであってもよく、また数量に関しても、構造体の振動の態様に応じて増減される。
【符号の説明】
【００２８】
１  振動子、２  天蓋、３  吊天井、４  パネル、５  手摺、６  壁、６ａ  穴、８  かご側扉、９  乗場側扉、２０，２７，３０，３３，４０，４３，５０，５５，６０  エレベーター用音響装置、２２  ワッシャ、２３  ナット、２５  配線、２６，４２，５１  音響体、５２  手摺ブラケット、５３  ボルト、５４  緩衝材。
【図１】
2014019530.tif 000003
【図２】
2014019530.tif 000004
【図３】
2014019530.tif 000005
【図４】
2014019530.tif 000006
【図５】
2014019530.tif 000007
【図６】
2014019530.tif 000008
【図７】
2014019530.tif 000009